(57)【要約】【課題】環境への負荷を低減し得るとともに、加工工程の簡略化を図り、隣接するパネル材との連結を容易になし得る壁用パネル材を提供する。【解決手段】壁用パネル材１は、一対の横枠材２，３及び、それぞれが木粉・プラスチック複合材で製された一対の縦枠材４，５を枠組みして形成された枠体１０と、該枠体の少なくとも一方面に固着された面材７とを備え、前記一対の縦枠材の外側面側には、互いに対応した連結部が設けられており、前記連結部の一方には、それぞれに係止部５２，５２を設け、かつ外方に向けて突出する複数の突条片５１，５１を有した雄連結部５０が設けられ、前記連結部の他方には、該雄連結部の係止部に対応した係止部４２ａ，４２ａを設けた複数の凹溝部４１，４１を有した雌連結部４０が設けられている。【選択図】図１
2010031500.tif 000002
【特許請求の範囲】
【請求項１】
一対の横枠材及び、それぞれが木粉・プラスチック複合材で製された一対の縦枠材を枠組みして形成された枠体と、該枠体の少なくとも一方面に固着された面材とを備え、
前記一対の縦枠材の外側面側には、互いに対応した連結部が設けられており、
前記連結部の一方には、それぞれに係止部を設け、かつ外方に向けて突出する複数の突条片を有した雄連結部が設けられ、前記連結部の他方には、該雄連結部の係止部に対応した係止部を設けた複数の凹溝部を有した雌連結部が設けられていることを特徴とする壁用パネル材。
【請求項２】
請求項１において、
前記雄連結部は、それぞれの先端部に係止爪部を設けた一対の突条片からなり、
前記雌連結部は、前記一対の突条片の係止爪部に対応した係止爪部を設けた一対の凹溝部からなり、これら凹溝部の近接側の側壁間には、空隙が形成されていることを特徴とする壁用パネル材。
【請求項３】
請求項１または２において、
前記凹溝部の両縁部は、面取り形状とされていることを特徴とする壁用パネル材。
【請求項４】
請求項１乃至３のいずれか１項において、
前記一対の縦枠材は、対向する内側面の一縁部に、それぞれが対向するように形成された段部を長手方向の全体に亘って有しており、
前記面材を補強するための面材補強板を、前記一対の縦枠材間に横架するようにして、その両端部を該一対の縦枠材の前記段部に載置させて固定していることを特徴とする壁用パネル材。
【発明の詳細な説明】
【技術分野】
【０００１】
本発明は、枠体に面材を固着した壁用パネル材に関する。
【背景技術】
【０００２】
建物の内壁や間仕切り壁等に用いられる内装用の壁用パネル材としては、一対の横枠材と一対の縦枠材とを枠組みして形成された枠体の両面に、それぞれ面材を貼着して形成された壁用パネル材が知られている。
このような壁用パネル材は、複数枚を横並びに配置して、隣接するパネル材同士を連結、接合して壁面を構成する。
従来、このような壁用パネル材を連結する連結構造は、両端側部の縦枠材等に、凹状の雇いほぞを長手方向に沿って形成し、該雇いほぞに、雇い実を嵌め込んで、隣接するパネル材同士を連結する構造が一般的であった。
【０００３】
上記のような雇いほぞと雇い実とによって隣接するパネル材同士を連結する構造とされたものでは、隣接するパネル材同士の面材の表面を略面一状にするために、当該雇いほぞ及び雇い実を精度良く加工する必要があり、加工工程の簡略化が望まれていた。また、別部材の雇い実を嵌め込む必要があるとともに、接着剤等によって接合する場合には、仮固定等が必要になるなど施工工程の簡略化が望まれていた。
【０００４】
例えば、下記特許文献１では、上記したような雇いほぞと雇い実とによる連結構造ではなく、壁パネル同士を凹凸嵌合により連結する構造とされた壁パネルの連結構造が提案されている。
この壁パネルの連結構造における壁パネルは、パネル幅方向の一端部に設けられた凸状ジョイント部と、他端部に設けられた凹状ジョイント部と、これら凸状ジョイント部及び凹状ジョイント部間に掛け渡されて互いに平行に配置された一対のボードとを備えている。
上記凸状ジョイント部及び凹状ジョイント部は、それぞれスチール等の弾性を有する金属材料で製されている。凹状ジョイント部の凹部は、その入口部幅が底部幅よりも狭く形成された末広がり形状とされている。
【０００５】
また、凸状ジョイント部の凸部は、その基端部幅が先端部幅よりも広く形成された先細り形状とされ、該基端部幅は、凹部の入口部幅よりも若干広く設定されている。さらに、上記凸状ジョイント部の凸部には、高さ方向に所定の間隔で板ばねが固着されている。この板ばねは、上記凸状ジョイント部が凹状ジョイント部に嵌め込まれた際に、該凹部の側壁部に弾性的に係止する構成とされている。
上記構成とされた壁パネルを用いた連結構造によれば、壁パネル同士を、ガタつかせることなく、安定した状態で連結することができる、と説明されている。
【特許文献１】特開平１１−３６４８８号公報（図１参照）
【発明の開示】
【発明が解決しようとする課題】
【０００６】
上記特許文献１に記載された壁パネルの連結構造によれば、比較的、簡易な構造にてガタつき等を抑えて、壁パネル同士を連結することは可能なものではある。しかしながら、上記構成とされた壁パネルでは、凸状ジョイント部に板ばね等を固着する必要があり、更なる加工工程の改善が望まれていた。
また、上記各ジョイント部は、金属材料からなるものとされているので、従来の木質材からなる枠材等と比べて、材料コストが高くなるとともに、粉砕、破砕等が困難であるため、廃材等を再利用するためには、分別する必要があり、除去作業が面倒となる問題もあった。
【０００７】
本発明は、上記実情に鑑みなされたものであり、環境への負荷を低減し得るとともに、加工工程の簡略化を図り、隣接するパネル材との連結を容易になし得る壁用パネル材を提供することを目的としている。
【課題を解決するための手段】
【０００８】
前記目的を達成するために、本発明に係る壁用パネル材は、一対の横枠材及び、それぞれが木粉・プラスチック複合材で製された一対の縦枠材を枠組みして形成された枠体と、該枠体の少なくとも一方面に固着された面材とを備え、前記一対の縦枠材の外側面側には、互いに対応した連結部が設けられており、前記連結部の一方には、それぞれに係止部を設け、かつ外方に向けて突出する複数の突条片を有した雄連結部が設けられ、前記連結部の他方には、該雄連結部の係止部に対応した係止部を設けた複数の凹溝部を有した雌連結部が設けられていることを特徴とする。
【０００９】
本発明に係る前記壁用パネル材においては、前記雄連結部を、それぞれの先端部に係止爪部を設けた一対の突条片からなるものとし、前記雌連結部を、前記一対の突条片の係止爪部に対応した係止爪部を設けた一対の凹溝部からなるものとし、これら凹溝部の近接側の側壁間に、空隙を形成したものとしてもよい。
また、本発明に係る前記壁用パネル材においては、前記凹溝部の両縁部を、面取り形状としてもよい。
【００１０】
また、本発明に係る前記壁用パネル材においては、前記一対の縦枠材を、対向する内側面の一縁部に、それぞれが対向するように形成された段部を長手方向の全体に亘って有したものとし、前記面材を補強するための面材補強板を、前記一対の縦枠材間に横架するようにして、その両端部を該一対の縦枠材の前記段部に載置させて固定するようにしてもよい。
【発明の効果】
【００１１】
本発明に係る壁用パネル材は、面材が固着される枠体を構成する縦枠材を、木粉・プラスチック複合材（ウッドプラスチック、ＷＰＣ）で製されたものとしている。従って、木材やプラスチック材の廃材を利用でき、省資源化が図れる。また、当該壁用パネル材を廃棄する際にも、この縦枠材を、木粉・プラスチック複合材として容易に再利用でき、環境への負荷を低減できる。
また、このように、木粉・プラスチック複合材からなる縦枠材とすることによって、当該縦枠材の外側面側に互いに対応する連結部を形成する際に、押出成形や射出成形等によって容易かつ精度良く形成できる。また、プラスチック材を含有していることから、従来の木質材からなる縦枠材と比べて、成形後における変形等も低減される。よって、精度良く形成できることと相俟って、複数枚の当該壁用パネル材を連結した際、隣接するパネル材同士の面材の表面を容易に略面一状にでき、美観性に優れたものとなる。
換言すれば、隣接するパネル材同士の面材の表面を略面一状にするための位置合わせ等の手間が省け、施工工程が簡略化される。
【００１２】
また、上記連結部の一方には、それぞれに係止部を設け、かつ外方に向けて突出する複数の突条片を有した雄連結部が設けられ、該連結部の他方には、該雄連結部の係止部に対応した係止部を設けた複数の凹溝部を有した雌連結部が設けられている。従って、複数枚の壁用パネル材同士を連結する際には、上記雄連結部の複数の突条片を、上記雌連結部の複数の凹溝部にそれぞれ嵌め入れるとともに、互いの係止部を係止させることで、接着剤が硬化するまでの仮固定手段として機能し、従来の木質材からなる枠材で必要であった仮固定作業が不要となる。また、それぞれ複数の突条片及び凹溝部を設けているので、仮固定が確実になされる。
また、これら各縦枠材は、いずれも木粉・プラスチック複合材からなり、弾性変形が可能であるので、上記雄連結部の複数の突条片を、上記雌連結部の複数の凹溝部にそれぞれ容易に嵌め入れることができるとともに、その係止が確実になされる。
【００１３】
本発明に係る前記壁用パネル材において、前記雄連結部を、それぞれの先端部に係止爪部を設けた一対の突条片からなるものとし、前記雌連結部を、前記一対の突条片の係止爪部に対応した係止爪部を設けた一対の凹溝部からなるものとし、これら凹溝部の近接側の側壁間に、空隙を形成したものとすれば、以下のような効果を奏する。
すなわち、上記雄連結部の一対の突条片を、上記雌連結部の一対の凹溝部に嵌め入れる際に、該凹溝部の近接側の側壁間に空隙が形成されているので、該空隙が、該側壁の弾性変形に伴う幅方向（パネル厚み方向）への変形を許容するための逃げ凹所として機能し、これら雄連結部と雌連結部との連結が容易になされる。
【００１４】
本発明に係る前記壁用パネル材において、前記凹溝部の両縁部を、面取り形状とすれば、上記雄連結部の複数の突条片を、上記雌連結部の複数の凹溝部に嵌め入れる際に、その面取り形状とされた両縁部が誘いとして機能し、雄連結部の突条片をスムーズに雌連結部の凹溝部内に誘導できる。
【００１５】
本発明に係る前記壁用パネル材において、前記一対の縦枠材を、対向する内側面の一縁部に、それぞれが対向するように形成された段部を長手方向の全体に亘って有したものとし、前記面材を補強するための面材補強板を、前記一対の縦枠材間に横架するようにして、その両端部を該一対の縦枠材の前記段部に載置させて固定するようにすれば、以下のような効果を奏する。
すなわち、枠体の少なくとも一方面に固着される面材を、耐火性、或いは断熱性、吸音性等の種々の観点から、木ねじや釘等の保持力が比較的、弱い、石膏ボードやロックウールボード、インシュレーションボードからなるものとした場合において、木ねじや釘等を螺入や打入する場合には、下地材等を補強のために枠体内に配置する必要が生じる場合がある。本発明によれば、上記面材補強板が、例えば、手摺りやインテリアカウンターなどの造作部材、或いはインターホンやエアコン、ダクト等の器具、並びにこれら器具を取付けるための器具取付プレート等の設備器具等を壁面に取付けるための下地材（下地桟）となり、これらの壁面への取り付けが可能となる。
また、このような面材補強板を固定するための段部の形成も、上記一対の縦枠材は、木粉・プラスチック複合材で製されているので、容易かつ精度良く段部を形成できる。
【００１６】
さらに、上記面材補強板は、例えば、枠組み形成された枠体の縦枠材の段部に、面材補強板の両端部を載置して固定した後、該面材補強板を被覆するようにして枠体に面材を固着するようにでき、壁用パネル材自体の組み付け工程の簡略化が図れる。
さらにまた、上記段部は、長手方向の全体に亘って形成されているので、例えば、上記面材補強板の上下方向の大きさを、所定の設備器具等を取付けるために必要とされる大きさとした場合に、その設備器具等の取付けられる部位に応じて、該面材補強板を上下方向のいずれの部位にも固定でき、汎用性の高いものとなる。
【発明を実施するための最良の形態】
【００１７】
以下に本発明の最良の実施の形態について、図面に基づいて説明する。
図１（ａ）〜（ｃ）は、いずれも第１実施形態に係る壁用パネル材及びその変形例を模式的に示し、これら壁用パネル材の連結構造を説明するための概略横断面図、図２は、複数枚のこれら壁用パネル材を連結した態様を模式的に示す概略横断面図である。
図３〜図６は、いずれも同実施形態に係る壁用パネル材の組み付け工程の一例を説明するための概略分解斜視図である。
図７は、同壁用パネル材を示す概略斜視図である。
尚、以下の各実施形態で示す、手前及び背面並びに上下左右方向は、便宜的に設備器具を取付ける面に対面した使用者を基準としてその方向を説明している。
【００１８】
本実施形態に係る壁用パネル材１は、図２に示すように、大略的に、枠体１０と、該枠体１０の手前側及び背面側の両面１１，１２にそれぞれ固着された面材７，８と、手前側の面材７の裏面に配置された面材補強板６とを備えている。
前記各部材から構成された壁用パネル材１は、図７に示すように、本実施形態では、平板状の略直方体形状とされており、建物の内壁や間仕切り壁等の内装用壁材として使用される。
上記枠体１０は、上下にそれぞれ配置された一対の横枠材２，３と、左右にそれぞれ配置された一対の縦枠材４，５とを枠組みして矩形状に形成されており、それぞれが木粉・プラスチック複合材で製されている。
【００１９】
上記一対の横枠材２，３は、図３に示すように、角柱状に形成されており、それぞれ両端部には、一対の縦枠材４，５の後記する内側面４４，５４の形状に合わせた係合凹部２ａ，３ａがそれぞれ形成されている。
これら上下の横枠材２，３のそれぞれ手前面及び背面が、面材７，８が固着される枠体１０の手前側及び背面側の両面１１，１２の一部を構成する。
尚、これら上下の横枠材２，３は、それぞれ略同寸同形とされており、本実施形態では、いずれも木粉・プラスチック複合材で製されたものとしているが、一方或いは両方を木質材からなるものとしてもよい。
また、これら横枠材２，３に、配電線等を挿通するための配線用の上下方向に貫通させた貫通孔を適所に設けるようにしてもよい。
【００２０】
上記一対の縦枠材４，５は、上下方向に長尺に形成されており、一対の凹溝部４１，４１を有した雌連結部４０が設けられた雌縦枠材４と、一対の突条片５１，５１を有した雄連結部５０が設けられた雄縦枠材５とからなる。
上記雌縦枠材４は、図１（ａ）に示すように、外方に向けて開口する断面略コ字状の外郭形状を有し、該コ字状外郭の上下片（図示手前側の片及び背面側の片）が、面材７，８が固着される枠体１０の手前側及び背面側の両面１１，１２の一部を構成する固着壁部４３，４３とされている。
また、上記コ字状外郭の底部からは、互いに空隙を隔てて、一対の突条壁部４２，４２が突設されており、これら突条壁部４２と、上記各固着壁部４３とによって各凹溝部４１，４１を構成している。
【００２１】
上記一対の突条壁部４２，４２のそれぞれ先端部には、それぞれ上記固着壁部４３，４３に向けて突出した係止爪部４２ａ，４２ａが設けられている。
また、上記凹溝部４１の両縁部をそれぞれ構成する突条壁部４２及び固着壁部４３のそれぞれ先端部は、凹溝部４１内に向けて傾斜する傾斜面部４２ｂ，４３ａとされている。
換言すれば、凹溝部４１の両縁部には、上記傾斜面部４２ｂ，４３ａが設けられて、該両縁部がＣ面取り状の面取り形状とされている。本実施形態では、この面取り形状は、これら傾斜面部４２ｂ，４３ａによって、外方に向けて拡開するテーパ形状とされている。
このような凹溝部４１の両縁部の面取り形状は、図例のような傾斜形状（Ｃ面取り状）とせず、Ｒ面取り状としてもよい。
【００２２】
また、上記雌縦枠材４の雄縦枠材５と対向する内側面４４の手前側及び背面側の両縁部には、段部４５，４５が長手方向の全体に亘って形成されている。
これら段部４５，４５は、略同寸同形とされている。すなわち、当該雌縦枠材４の内側面４４を対面視して、両縁部のそれぞれに左右対称となる段部４５，４５を階段状に形成している。
また、これら段部４５，４５は、後記する面材補強板６の厚みに応じた段部とされている。すなわち、固着壁部４３，４３の表面（面材との固着面）との段差が面材補強板６の厚みと同じになるよう段部４５，４５が形成されている。つまり、図２に示すように、当該段部４５に、面材補強板６の一端部６ａが固定された状態では、面材補強板６の表面（手前側面）と、手前側の固着壁部４３の表面とが略面一となるように段部４５が形成されている。これら段部４５，４５の横幅は、後記する雄縦枠材５の段部５５，５５とともに、後記するように面材補強板６の両端部６ａ，６ａを固定可能で、当該面材補強板６の保持が可能な程度の幅とすれば良い。
【００２３】
上記雄縦枠材５は、図１（ａ）に示すように、外方に向けて開口する断面扁平コ字状とされ、該コ字状の上下片（図示手前側の片及び背面側の片）の一部が、面材７，８が固着される枠体１０の手前側及び背面側の両面１１，１２の一部を構成する固着壁部５３，５３とされている。
また、該コ字状の上記上下片の先側、すなわち、上記固着壁部５３，５３の先端には、該先端からそれぞれ壁心側に向けて屈曲されるとともに、面材７，８の端部から外方に向けて突出するように連成された一対の突条片５１，５１が設けられている。これら一対の突条片５１，５１は、上記雌縦枠材４の一対の凹溝部４１，４１にそれぞれ嵌合し得る形状とされている。
【００２４】
また、これら一対の突条片５１，５１のそれぞれ先端部には、互いに対向する側（壁心側）に向けて突出した係止爪部５２ａ，５２ａが設けられ、また、これら一対の突条片５１，５１のそれぞれ先端部は、互いに対向する側に向けて傾斜する傾斜面部５２ａ，５２ａとされている。すなわち、これら両傾斜面部５２ａ，５２ａによって外方に向けて拡開するテーパ形状が形成されている。
上記雄縦枠材５の内側面５４の両縁部には、上記同様の段部５５，５５が形成されている。
これら一対の縦枠材４，５は、壁用パネル材１の枠材としての機能のみならず、上述のように、面材補強板６の固定部として機能するとともに、隣接するパネル材との連結を容易にするための連結部としても機能する。
また、これら一対の縦枠材４，５及び上記一対の横枠材２，３は、それぞれ略同厚さ（壁用パネル材１自体の厚さ方向と同方向の厚さ）とされている。
【００２５】
また、上記一対の縦枠材４，５及び上記一対の横枠材２，３は、熱可塑性樹脂（プラスチック材）及び木粉を所定の割合で含有しており、これらを混練して、押出成形或いは射出成形等によって形成されている。
上記熱可塑性樹脂としては、ポリプロピレン、ポリエチレン、ポリ塩化ビニル、ポリ塩化ビニリデン、ポリスチレン、ポリ酢酸ビニル、ポリテトラフルオロエチレン（テフロン（登録商標））、ＡＢＳ（アクリロニトリルブタジエンスチレン）、ＡＳ（アクリロニトリルスチレン）、アクリルなどの廃材が挙げられる。
特に、性能やコスト面等の観点からポリプロピレン、ポリエチレン等のオレフィン系樹脂が好ましく採用される。
【００２６】
上記木粉としては、例えば、製材工場等で排出される製材屑や、廃木材を破砕、粉砕して得られたもの、合板、ＭＤＦ、パーティクルボード等の木質材のサンダー粉等が採用される。このような木粉としては、成形性及び分散性の観点から、その平均粒径が、１０〜１５０メッシュ程度のものが好ましい。
上記所定の含有割合としては、木粉と熱可塑性樹脂とが概ね同重量となるような割合としてもよい。例えば、木粉及び熱可塑性樹脂の全重量に対して、木粉を５０重量％〜５５重量％程度、熱可塑性樹脂を４５重量％〜５０重量％程度としてもよい。
このように、比較的、多量の木粉を含有させることで、例えば、面材７，８との接合の際に、木工用の接着剤を使用できる。
また、上記木粉及び熱可塑性樹脂に加えて、マイカ、アルミナ、タルク等の無機フィラーや、強化剤、相溶化剤等を更に含有させるようにしてもよい。
【００２７】
上記構成とされた一対の横枠材２，３及び一対の縦枠材４，５は、図４に示すように、縦枠材４，５の対向する内側面４４，５４の上下端部のそれぞれに、横枠材２，３の両端部に形成された係合凹部２ａ，３ａを係合させて接着剤等で固着することで、上記枠体１０を構成する。
この枠体１０の手前面１１及び背面１２のそれぞれに上記面材７，８が接着剤等によって固着されている。
上記面材７，８は、それぞれ石膏ボードやロックウールボード、インシュレーションボード等の木ねじや釘等の保持力が比較的、弱い材料からなり、図６に示すように平板状に形成されている。
これら面材７，８は、上記枠体１０の両面１１，１２にそれぞれ固着された状態では、各面材７，８の裏面の四周端部に沿って枠体１０が配置され、図７に示すように、上記雄縦枠材５の一対の突条片５１，５１が露出するように固着されている。
【００２８】
上記構成とされた面材７，８は、耐火性、或いは断熱性、吸音性等に優れ、また、比較的、低コストなものではあるが、上述のように、木ねじや釘等の保持力が比較的、弱い。従って、例えば、図２に示すように、手摺りやインテリアカウンターなどの造作部材、或いはインターホンやエアコン、ダクト等の器具、並びにこれら器具を取付けるための器具取付プレート等の設備器具９を、木ねじや釘等の固着具Ｗｓによって取付ける場合には、面材７，８の補強をする必要がある。
そこで、本実施形態では、設備器具９を取付けるための下地材（下地桟）として、上記面材補強板６を、手前側に配置された面材７の裏面に添わせるようにして固定している。
【００２９】
上記面材補強板６は、合板やケナフボード、ＭＤＦ（Ｍｅｄｉｕｍ  Ｄｅｎｓｉｔｙ  Ｆｉｂｅｒｂｏａｒｄ、中質繊維板、中密度繊維板とも言う）等の木ねじや釘等の保持力が比較的、強い材料からなり、図４に示すように、平板状に形成されている。
この面材補強板６の横幅方向（壁用パネル材自体の横幅方向と同方向）の大きさは、上記一対の縦枠材４，５間に横架されるようにして、これら一対の縦枠材４，５にそれぞれ形成された段部４５，５５に、該面材補強板６の両端部６ａ，６ａを嵌め込み可能な大きさとされている。すなわち、該面材補強板６の横幅は、枠組み形成された両縦枠材４，５の段部４５，５５の対向する内側面（段壁面）間の幅に応じた横幅とされている。
【００３０】
また、上記面材補強板６の上下方向の大きさは、上記設備器具９等の取付けられる部位に応じた大きさとされており、上記枠体１０の上下の横枠材２，３間の全体に亘って設けられておらず、一部のみを閉塞するように一対の縦枠材４，５間に横架されている。
このような面材補強板６の上下高さ及び上下方向の取付位置は、施工される箇所や取付ける設備器具９等に応じて、適宜、設定可能であり、取付けられる設備器具９の高さに合わせた位置に、所定の取付誤差或いは取付領域許容代等を考慮した上下高さとされた面材補強板６を固定するようにすればよい。このような設備器具９は、種類によって、ある程度、その取付位置の高さ範囲が限定されているので、予め枠体１０内への面材補強板６の取り付けが可能となる。
【００３１】
上記のような上下高さとされた面材補強板６は、図５に示すように、上記一対の縦枠材４，５にそれぞれ長手方向の全体に亘って形成された段部４５，５５に沿って、所望する上下位置に固定することができる。
例えば、手摺りやインテリアカウンター等の取り付け用の面材補強板６とする場合には、中ほどの高さに固定したり、エアコンやダクト等の取り付け用の面材補強板６とする場合には、上部に近い高さに固定したりするようにしてもよい。
また、本実施形態では、一枚の面材補強板６を、手前側の面材７の裏面に沿わせるように配置しているが、例えば、背面側の面材８の裏面に沿わせるようにして更に面材補強板６を設けるようにしてもよい。
さらに、二枚以上の複数枚の面材補強板６を、上下の異なる位置にそれぞれ固定するようにしてもよい。
【００３２】
上記構成とされた壁用パネル材１は、高さが例えば、床から天井までの高さとされ、横幅が例えば、３０ｃｍ〜１２０ｃｍ程度の比較的、小モジュールとされて、図２に示すように、複数枚を横並びに配置して連結することで、壁面を構成する、いわゆるパネル工法用の壁材である。
次に、図２に示すように、複数枚の壁用パネル材１，１Ａを横並びに配置して連結する壁用パネル材の連結構造について、図１に基づいて説明する。
図例では、図２に示す三枚の壁用パネル材１Ａ，１，１Ａのうちの中央に配された壁用パネル材１に対して、その右側部に配された壁用パネル材１Ａを連結する態様を示している。
【００３３】
まず、図１（ａ）に示すように、既に施工された壁用パネル材１の右外側面側に設けられた雄連結部５０の一対の突条片５１，５１のそれぞれ厚み方向外側面（壁心とは異なる側の面）に、接着剤を塗布する。また、連結しようとする壁用パネル材１Ａの左外側面側に設けられた雌連結部４０の一対の凹溝部４１，４１のそれぞれ厚み方向外側側の壁面（固着壁部４３，４３のそれぞれ壁心側の面）に、接着剤を塗布する。或いは、いずれか一方にのみ接着剤を塗布するようにしてもよい。
次いで、これら雄連結部５０と雌連結部４０とを嵌合させる。この際、図１（ｂ）に示すように、上記のように一対の凹溝部４１，４１の両縁部には、傾斜面部４２ｂ，４３ａ（図１（ａ）参照）が設けられ、また、一対の突条片５１，５１の先端部にも傾斜面部５２ａ（図１（ａ）参照）が設けられているので、これら傾斜面部４２ｂ，４３ａ，５２ａが嵌合する際の誘いとして機能し、雄連結部５０の各突条片４１，４１をスムーズに雌連結部４０の各凹溝部４１，４１内に誘導できる。
【００３４】
また、上記嵌合の際、雄連結部５０の一対の突条片５１，５１の先端部に設けられた係止爪部５２，５２と、雌連結部４０の一対の突条壁部４２，４２の先端部に設けられた係止爪部４２ａ，４２ａとの押圧作用により、一対の突条片５１，５１は、弾性変形を伴い凹溝部４１の固着壁部４３の壁心側の面に向けて押圧される。また、一対の突条壁部４２，４２は、弾性変形を伴い互いに近接する側（壁心側）に向けて押圧される。
このように、嵌合の際に、弾性変形を伴う場合にも、上記凹溝部４１，４１の突条壁部４２，４２間には、上述のように空隙が形成されているので、該空隙が、これら突条壁部４２，４２の弾性変形に伴う幅方向（パネル厚み方向、壁心方向）への変形を許容するための逃げ凹所として機能し、これら雄連結部５０と雌連結部４０との連結嵌合が容易になされる。
【００３５】
上記雄連結部５０と上記雌連結部４０との嵌合が完全になされた状態では、図１（ｃ）に示すように、雌連結部４０の突条壁部４２，４２の弾性復元力により、上記一対の突条片５１，５１は、凹溝部４１の固着壁部４３の壁心側の面に向けて付勢されている。
また、上記一対の突条片５１，５１の各係止爪部５２，５２と、上記一対の凹溝部４１，４１の各係止爪部４２ａ，４２ａとが互いに係止されて掛け止めがなされる。これらの係止が、上記のように、一対の突条片５１，５１のそれぞれ厚み方向外側面、及び／又は、一対の凹溝部４１，４１の固着壁部４３，４３のそれぞれ壁心側の面に塗布された接着剤が硬化するまでの仮固定手段として機能する。
【００３６】
上記のように、順次、複数枚の壁用パネル材１，１Ａを横並びに連結して、図２に示すように、壁面が構成される。
また、上記のように施工された壁用パネル材１には、面材補強板６が固定されているので、上述のような設備器具９を、壁用パネル材１の手前側の面材７に対して、固着具Ｗｓによって取り付けが可能となる。
また、このような面材補強板６を固定するための各縦枠材４，５に設けられた段部４５，５５の形成も、上記一対の縦枠材４，５は、木粉・プラスチック複合材で製されているので、容易かつ精度良く段部４５，５５を形成できる。
【００３７】
尚、図１及び図２において、本実施形態に係る壁用パネル材１の両側部に連結された壁用パネル材１Ａ，１Ａは、本実施形態に係る壁用パネル材１の一変形例を示し、面材補強板６を設けていない他は、同様の構成であり、同一符号を付して、その説明を省略する。
また、これら壁用パネル材１Ａ，１Ａに代えて、面材補強板６を備えた壁用パネル材１を連結するようにしてもよい。
また、上記のように複数枚の壁用パネル材を連結して接合した後に、面材７，８の表面に、化粧シートや壁クロス等を貼着するようにしてもよい。
【００３８】
次に、上記構成とされた本実施形態に係る壁用パネル材１の組み付け工程の一例を、図３〜図６に基づいて説明する。
まず、図３に示すように、一対の縦枠材４，５の対向する内側面４４，５４の上下端部のそれぞれに、横枠材２，３の両端部に形成された係合凹部２ａ，３ａを係合させて接着剤等で固着して、図４に示すように、これらを枠組み形成して枠体１０を形成する。
次いで、一対の縦枠材４，５間に、面材補強板６を、横架させるようにして、面材補強板６の両端部６ａ，６ａを、これら縦枠材４，５のそれぞれの上記段部４５，５５に載置して、接着剤等で固着する。
この際、図５に示すように、上下方向の所望する位置に面材補強板６を固着する。図では、上下の中ほどに固着した例を示している。
【００３９】
上記のように枠体１０に面材補強板６を固着した後に、図６に示すように、枠体１０の一方面１１に、面材７を接着剤等で固着する。また、面材７を固着した後に、表裏を反転させて、枠体１０の他方面１２に、面材８を同様にして固着し、図７に示すように、壁用パネル材１を組み付けるようにしてもよい。
尚、上記した壁用パネル材１の組み付け工程は、一例であり、他の工程にて形成するようにしてもよい。
また、上記各部材を接着する接着剤としては、特に限定されず、ユリア樹脂や、メラミン樹脂、ユリア・メラミン共縮合樹脂、フェノール樹脂、エポキシ樹脂、ウレタン樹脂などの熱硬化性樹脂を含有する接着剤が挙げられる。あるいは、酢酸ビニル樹脂や、合成ゴム、ポリ乳酸、澱粉、アクリル樹脂等を含有する水性接着剤又はエマルジョン接着剤が挙げられる。あるいは、ポリプロピレンや、エチレン酢酸ビニル樹脂（ＥＶＡ）などの合成樹脂を含有するホットメルト接着剤などが挙げられる。本実施形態では、一対の横枠材２，３及び一対の縦枠材４，５を、上記のように、いずれも木粉・プラスチック複合材で製されたものとしているので、木工用の接着剤を使用することもできる。
【００４０】
以上のように、本実施形態に係る壁用パネル材１は、面材７，８が両面１１，１２に固着される枠体１０を構成する横枠材２，３及び縦枠材４，５を、木粉・プラスチック複合材で製されたものとしているので、上記のように、木材やプラスチック材の廃材を利用でき、省資源化が図れる。また、当該壁用パネル材１を廃棄する際にも、これら横枠材２，３及び縦枠材４，５を、木粉・プラスチック複合材として容易に再利用でき、環境への負荷を低減できる。
【００４１】
また、上記のように、木粉・プラスチック複合材からなる縦枠材４，５とすることによって、当該縦枠材４，５の外側面側に互いに対応する連結部４０，５０を形成する際に、押出成形や射出成形等によって容易かつ精度良く形成できる。また、プラスチック材を含有していることから、従来の木質材からなる縦枠材と比べて、成形後における変形等も低減される。よって、精度良く形成できることと相俟って、複数枚の当該壁用パネル材１，１Ａを連結した際、隣接するパネル材１，１Ａ同士の面材７，８の表面を容易に略面一状にでき、美観性に優れたものとなる。
換言すれば、隣接するパネル材１，１Ａ同士の面材７，８の表面を略面一状にするための位置合わせ等の手間が省け、施工工程が簡略化される。
【００４２】
また、上記連結部の一方には、それぞれに係止爪部５２，５２を設け、かつ外方に向けて突出する一対の突条片５１，５１を有した雄連結部５０が設けられ、上記連結部の他方には、該雄連結部５０の係止爪部５２，５２に対応した係止爪部４２ａ，４２ａを設けた一対の凹溝部４１，４１を有した雌連結部４０が設けられている。従って、複数枚の壁用パネル材１，１Ａ同士を連結する際に、上記雄連結部５０の一対の突条片５１，５１と、上記雌連結部４０の一対の凹溝部４１，４１とをそれぞれ嵌合させるとともに、互いの係止爪部５２，４２ａを係止させることで、上述のように、接着剤が硬化するまでの仮固定手段として機能し、従来の木質材からなる枠材で必要であった仮固定作業が不要となる。また、このように、それぞれ複数の突条片５１，５１及び凹溝部４１，４１を設けているので、仮固定が確実になされる。
また、これら各縦枠材４，５は、いずれも木粉・プラスチック複合材からなり、上述のように、弾性変形が可能であるので、上記雄連結部５０の一対の突条片５１，５１を、上記雌連結部４０の一対の凹溝部４１，４１にそれぞれ容易に嵌め入れることができるとともに、その係止が確実になされる。
【００４３】
さらに、上述のように、本実施形態に係る壁用パネル材１では、設備器具９等の種類に応じて、予め所定の上下高さ及び所定の上下位置に、面材補強板６を面材７の裏面に沿わせて固定配置しているので、現場での施工作業が大幅に簡略化される。
さらにまた、上記段部４３，５３は、長手方向の全体に亘って形成されているので、上述のように、当該面材補強板６の上下方向の大きさを、所定の設備器具９等を取付けるために必要とされる大きさとした場合に、その設備器具９等の取付けられる部位に応じて、該面材補強板６を上下方向のいずれの部位にも固定でき、汎用性の高いものとなる。
【００４４】
尚、本実施形態では、上記一対の縦枠材４，５のそれぞれ雌連結部４０及び雄連結部５０を、それぞれ一対の凹溝部４１，４１及び一対の突条片５１，５１を有したものとしているが、三つ以上の凹溝部及び突条片をそれぞれ設けるようにしてもよい。
また、本実施形態では、上記突条片５１の先端部に係止爪部５２を設けるとともに、上記凹溝部４１に該係止爪部５２に対応させた係止爪部４２ａを設けたものを例示しているが、これら突条片５１及び凹溝部４１のそれぞれ係止部は、互いに対応させて互いに係止する形状の係止部とすればよく、どのようなものでもよい。例えば、一方に係止爪部を設け、他方に該係止爪部の凸部が嵌り込む凹溝条を設けるような態様としてもよい。或いは、上記一対の突条片５１，５１の外側面側に突出した係止爪部をそれぞれ設けるとともに、上記一対の凹溝部４１，４１の固着壁部４３，４３の壁心側に突出した係止爪部をそれぞれ設けるようにしてもよい。この場合は、一対の突条片５１，５１のそれぞれ対向する面と、凹溝部４１，４１の突条壁部４２，４２のそれぞれ内側面とを、それぞれ略平滑面とし、これらの面同士を接着剤で固着させるような態様としてもよい。
【００４５】
また、本実施形態では、上記一対の縦枠材４，５のそれぞれ両縁部に、段部４５，４５及び段部５５，５５を形成し、該段部４５，５５に面材補強板６を固定した態様を例示しているが、このような段部４５，５５及び面材補強板６を設けないものとしてもよい。
或いは、上記各段部４５，５５を両縁部に設ける態様に代えて、一縁部（例えば、図例で示す手前側縁部）にのみ対向するように段部４５，５５をそれぞれ形成するような態様としてもよい。
また、本実施形態では、枠体１０を構成する一対の横枠材２，３の両端部に、縦枠材４，５の内側面４４，５４の上下端部と係合する係合凹部２ａ，３ａをそれぞれ設けた例を示しているが、係合凹部２ａ，３ａを設けずに、縦枠材４，５の内側面４４，５４の上下端部に突き合わせて接合するような態様としてもよい。
さらに、枠体１０の幅方向中央部等に、上下の横枠材２，３間に架け渡すように縦桟を更に設けるような態様としてもよい。
【００４６】
さらにまた、本実施形態では、枠体１０の手前面１１及び背面１２の両面に面材７，８を固着した態様を例示しているが、少なくとも一方面にのみ面材を固着させた態様としてもよい。この場合は、例えば、裏面に面材補強板６が固定された面材７を備えた壁用パネル材とし、現場施工にて背面側の面材を枠体１０の背面１２に固着するような態様としてもよい。或いは、枠体１０の背面１２に面材８を固着し、一対の縦枠材４，５の手前側の段部４５，５５に面材補強板６を固定しておき、現場施工にて手前側の面材７を固着するような態様としてもよい。
また、枠体１０内に、断熱材やペーパーコア材等の芯材等を充填するようにしてもよい。
さらに、面材補強板６の取り付けられた範囲等を視認できるようにするために、例えば、面材７の表面に、面材補強板６の外縁を目印として図示しておくようにしてもよい。
【００４７】
次に、本発明に係る他の実施の形態について、図面を参照しながら説明する。
図８（ａ）は、第２実施形態に係る壁用パネル材を模式的に示す概略横断面図、（ｂ）は、同壁用パネル材の変形例を模式的に示す概略横断面図である。
尚、上記第１実施形態との相違点を中心に説明し、同様の構成については、同一符号を付し、その説明を省略あるいは簡略に説明する。また、本実施形態に係る壁用パネル材の連結構造及び組み付け工程については、上記第１実施形態と同様であり、その説明を省略する。
【００４８】
本実施形態に係る壁用パネル材１Ｂは、図８（ａ）に示すように、雌縦枠材４Ａ、雄縦枠材５Ａ及び面材補強板６Ａの構成が、上記第１実施形態で説明した雌縦枠材４、雄縦枠材５及び面材補強板６とは異なる。
上記雌縦枠材４Ａは、その内側面４４Ａの両縁部に、複数条の段部４６，４７をそれぞれ有している。すなわち、上記第１実施形態で説明した雌縦枠材４では、その内側面４４の両縁部に、それぞれ一段の段部４５，４５を形成したものとしていたが、本実施形態では、雌縦枠材４Ａの内側面４４Ａの両縁部に、それぞれ二段の段部４６，４７を形成している。つまり、当該雌縦枠材４Ａの内側面４４Ａを対面視して、両縁部のそれぞれに左右対称となる複数条の段部４６，４７を階段状に形成している。
これら段部４６，４７の固着壁部４３，４３の表面（面材との固着面）との各段差は、例えば、市販されている種々の厚みとされた合板等の厚みと同じになるように形成するようにしてもよい。例えば、段部４６の段差を、１２ｍｍ程度とし、段部４７の段差を、９ｍｍ程度としてもよい。
【００４９】
また、上記雄縦枠材５Ａも上記雌縦枠材４Ａと同様、その内側面５４Ａの両縁部のそれぞれに、複数条の段部５６，５７を有している。
また、上記面材補強板６Ａは、上記第１実施形態で説明した面材補強板６よりもその厚みが薄いものとされており、上記一対の縦枠材４Ａ，５Ａのそれぞれ手前側の段部４７，５７に、その両端部６Ａａ，６Ａａが固定されている。
【００５０】
一方、図７（ｂ）に示す本実施形態の変形例に係る壁用パネル材１Ｃは、面材補強板６Ｂの構成が上記した例とは異なる。
すなわち、本変形例に係る壁用パネル材１Ｃは、上記例の面材補強板６Ａよりも厚みのある面材補強板６Ｂを備えている。該面材補強板６Ｂは、上記一対の縦枠材４Ａ，５Ａのそれぞれ背面側（当該壁用パネル材１Ｃ自体の壁心側）の段部４６，５６に、その両端部６Ｂａ，６Ｂａが固定されている。
【００５１】
以上のように本実施形態に係る壁用パネル材１Ｂ及びその変形例に係る壁用パネル材１Ｃは、いずれも一対の縦枠材４Ａ，５Ａを、複数条の段部４６，４７，５６，５７を有したものとしている。従って、上述のように、異なる厚みの面材補強板６Ａ，６Ｂを固定できる。従って、例えば、設備器具等の重量等に応じて、異なる厚みの面材補強板６Ａ，６Ｂを選択して固定することで、壁用パネル材の面材７の強度を簡易な構造により変えられる。また、例えば、段部を第１実施形態のように、一段にした場合には、上記のように面材の強度を変えたい場合に、面材補強板の厚みに応じて、異なる形状の段部を有した複数種の縦枠材を製造する必要があることから製造コストが高くなるが、本実施形態によれば、一種の縦枠材４Ａ，５Ａによって異なる厚みの面材補強板６Ａ，６Ｂを固定できるので、製造コストが低減される。
【００５２】
尚、本実施形態及びその変形例では、いずれも各縦枠材４Ａ，５Ａの内側面４４Ａ，５４Ａの両縁部にそれぞれ形成した複数条の段部は、それぞれ二条としたものを例示しているが、三条以上としてもよい。或いは、両縁部において、異なる条数の段部を形成するようにしてもよい。または、いずれか一方の縁部にのみ複数条の段部を形成するようにしてもよい。
【図面の簡単な説明】
【００５３】
【図１】（ａ）〜（ｃ）は、いずれも本発明に係る壁用パネル材の一実施形態及びその変形例を模式的に示し、これら壁用パネル材の連結構造を説明するための概略横断面図である。
【図２】同実施形態に係る壁用パネル材及びその変形例に係る複数枚の壁用パネル材を連結した態様を模式的に示す概略横断面図である。
【図３】同実施形態に係る壁用パネル材の組み付け工程の一例を説明するための概略分解斜視図である。
【図４】同組み付け工程を説明するための概略分解斜視図である。
【図５】同組み付け工程を説明するための概略分解斜視図である。
【図６】同組み付け工程を説明するための概略分解斜視図である。
【図７】同壁用パネル材を示す概略斜視図である。
【図８】（ａ）は、本発明に係る壁用パネル材の他の実施形態を模式的に示す概略横断面図、（ｂ）は、同壁用パネル材の変形例を模式的に示す概略横断面図である。
【符号の説明】
【００５４】
１，１Ａ，１Ｂ，１Ｃ      壁用パネル材
２，３                    横枠材
４，４Ａ                  雌縦枠材（縦枠材）
４０                      雌連結部
４１                      凹溝部
４２                      凹溝部の突条壁部（凹溝部の近接側の側壁）
４２ａ                    係止爪部（係止部）
４４，４４Ａ              雌縦枠材の内側面
４５，４６，４７          段部
５，５Ａ                  雄縦枠材（縦枠材）
５０                      雄連結部
５１                      突条片
５２                      係止爪部（係止部）
５４，５４Ａ              雄縦枠材の内側面
５５，５６，５７          段部
６，６Ａ，６Ｂ            面材補強板
６ａ，６Ａａ，６Ｂａ      面材補強板の端部
７                        面材（枠体の一方面に固着された面材）
１０                      枠体
１１                      枠体の手前面（一方面）
【図１】
2010031500.tif 000003
【図２】
2010031500.tif 000004
【図３】
2010031500.tif 000005
【図４】
2010031500.tif 000006
【図５】
2010031500.tif 000007
【図６】
2010031500.tif 000008
【図７】
2010031500.tif 000009
【図８】
2010031500.tif 000010